(57)【要約】【課題】  光ディスクの再生ＲＦ信号とレーザ光のモニタ信号とを用いた従来のノイズキャンセル回路は、完全なノイズキャンセルが困難であり、また再生ＲＦ信号・パワーモニタ出力ともＤＣを必要とし、更に無調整化が困難である。【解決手段】  レーザ光のモニタ信号は、ＨＰＦ３３を介してトランスバーサルフィルタ３５に入力される。再生ＲＦ信号は、ＨＰＦ３１を介して減算器３２で乗算器３７からの擬似レーザノイズと減算される。利得器３６は、減算器３２の出力信号の正負の極性のノイズ量のバランスずれに応じた値をゲインＫとして乗算器３７に供給してトランスバーサルフィルタ３５の出力信号に乗算する。減算器３２の出力信号中の変調信号に応じたノイズ残留量は、減算器３２の出力信号の正負の極性のバランスのとれたところに収束し、乗算器３７からは、変調ノイズ成分がキャンセルされた擬似レーザノイズ成分が抽出される。【選択図】            図２
2006079772.tif 000002
【特許請求の範囲】
【請求項１】
光ディスクにレーザ光を照射することにより前記光ディスクから得られる反射光を、第１の受光手段により光電変換して得た第１の信号に含まれるノイズ成分を、前記光ディスクに照射される前記レーザ光の一部を第２の受光手段により光電変換して得た第２の信号を用いて低減するノイズキャンセル手段を備え、前記ノイズキャンセル手段により前記ノイズ成分が低減された前記第１の信号に基づいて前記光ディスクに記録されている情報信号を再生する光ディスク装置において、
前記ノイズキャンセル手段は、
前記第２の信号をフィルタリングし、そのフィルタリング結果を出力すると共に複数のタップの各出力信号を分岐して出力するトランスバーサルフィルタと、
前記第１の信号から擬似レーザノイズ成分を減算する減算手段と、
前記トランスバーサルフィルタの複数のタップの各出力信号と前記減算手段の出力信号とを別々に乗算し、それらの乗算結果を前記複数のタップの各出力信号と乗算される複数の乗算係数として前記トランスバーサルフィルタへ供給する第１の乗算手段と、
前記減算手段の出力信号と前記トランスバーサルフィルタのフィルタリング結果であるフィルタ出力信号とを乗算して得た信号の直流成分を検出し、その直流成分に応じた値の利得信号を発生する利得信号発生手段と、
前記利得信号発生手段からの前記利得信号と前記トランスバーサルフィルタのフィルタ出力信号とを乗算することにより、前記擬似レーザノイズ成分を発生して前記減算手段へ供給する第２の乗算手段と
を有し、前記減算手段から前記擬似レーザノイズ成分が除去された前記第１の信号を出力することを特徴とする光ディスク装置。
【請求項２】
前記利得信号発生手段は、
前記減算手段の出力信号と前記トランスバーサルフィルタのフィルタリング結果であるフィルタ出力信号とを乗算する乗算器と、
前記減算手段の出力信号に対し、その中心レベルを基準に正負の極性を判定した判定信号を出力する判定信号出力回路と、
前記乗算器の出力信号の極性を反転する反転回路と、
前記判定信号出力回路から出力された前記判定信号に応じて、前記乗算器から出力される信号と前記反転回路から出力される反転信号とのうち、どちらか一方を選択するスイッチ回路と、
前記スイッチ回路の出力信号の直流成分を抽出するフィルタ回路と、
前記フィルタ回路に所定の基準係数を加算して前記利得信号として出力する加算回路と
を有することを特徴とする請求項１記載の光ディスク装置。
【発明の詳細な説明】
【技術分野】
【０００１】
本発明は光ディスク装置に係り、特に光ディスクにレーザ光を照射して情報を再生する際に、レーザ光の変動に起因したレーザノイズの加法的ノイズ成分と光ディスクに記録されている情報信号による変調ノイズ成分の両方を再生信号から除去する光ディスク装置に関する。
【背景技術】
【０００２】
近年、光ディスクにおける情報の記録密度が高密度化し、それに伴い、情報の再生に必要なＳ／Ｎ比（信号対雑音比）を確保するために、光ディスクにレーザ光を照射して情報を再生する際に、再生信号中に含まれるレーザノイズを除去するレーザノイズキャンセル技術が益々重要となってきている。
【０００３】
上記のレーザノイズは、様々なノイズ（雑音）成分からなり、発生要因に着目すると次の３つに分類することができる。第１のノイズは、光ディスクの表面の粗さやバラツキに起因するディスクノイズであり、第２のノイズは、受光器及び増幅器を含む回路において発生する回路系ノイズであり、第３のノイズは、光源であるレーザダイオード（ＬＤ）に起因するレーザ光源ノイズ（ＬＤノイズ）である。
【０００４】
上記の回路系ノイズには、受光器の初段アンプの設計に依存する受光器（ＰＤ）アンプノイズ、受光器の受光電流の電子の揺らぎに起因するショットノイズ、受光器の初段電流電圧変換アンプの変換抵抗に起因したサーマルノイズ（熱雑音）等がある。また、上記のレーザ光源ノイズは、レーザ光の波長及びパワー変動に起因したノイズであり、再生変化、戻り光等に起因する発光モードの遷移によって起きる。その中で最も支配的なのはレーザダイオードを流れる電流の電子の揺らぎに起因する量子雑音である。
【０００５】
光ディスク装置には、光ディスクからの戻り光を受光して再生（ＲＦ）信号を生成するための再生信号用受光器と、レーザ光源を監視し、オートマチック・パワーコントロール（ＡＰＣ）信号を生成するための光源モニタ用受光器が備えられている。そこで、光源モニタ用受光器よりレーザ光源ノイズキャンセル（ＬＮＣ）信号を取り出して再生信号に含まれるレーザ光源ノイズを除去する光ディスク装置が従来より知られている（例えば、特許文献１参照）。
【０００６】
上記の特許文献１記載の従来の光ディスク装置は、図４のブロック図に示す如き構成とされている。同図において、レーザダイオード（ＬＤ）１から出射されたレーザ光は、ビームスプリッタ２で一部が透過され、一部が反射される。そのうち、ビームスプリッタ２を透過したレーザ光は、所望の情報が予め記録されている光ディスク２０に照射されることにより、光ディスク２０の信号面で反射され、その反射光がビームスプリッタ２により反射されて再生ＲＦ信号形成用フォトディテクタ（ＲＦＰＤ）３に入射し、ここで光電変換された後、アンプ４で増幅されて再生ＲＦ信号ｒｆ（ｔ）としてレーザノイズキャンセル回路５に供給される。
【０００７】
ここで、上記の再生ＲＦ信号ｒｆ（ｔ）には、信号成分以外に、ＬＤ１が出射するレーザ光自体が元々有しているレーザノイズ成分Ｎ（ｔ）と、光ディスク２０からの反射光に含まれる光ディスク２０の記録マークの反射率及び記録マーク以外のスペースの反射率との平均値と、比例定数との積で表わされる加法的ノイズ成分が含まれており、また、上記レーザノイズ成分Ｎ（ｔ）と、反射光の信号変調成分と、比例定数との積で表わされる変調ノイズ成分が含まれている。
【０００８】
一方、ＬＤ１から出射され、ビームスプリッタ２で反射されたレーザ光は、レーザ光のパワーを自動調整するためのＡＰＣ用モニタ出力信号形成用フォトディテクタ６に入射して光電変換された後、アンプ７により増幅されてＡＰＣモニタ出力信号ｍ（ｔ）としてレーザノイズキャンセル回路５に供給される。このＡＰＣモニタ出力信号ｍ（ｔ）は、変換係数ＡとＬＤ１からのレーザ光の光強度Ｐとの積で表わされるＤＣ成分（これは後述するＬＰＦ５２で周波数選択される）と、変換係数Ａと前記レーザノイズ成分Ｎ（ｔ）との積との和で表わされる。
【０００９】
レーザノイズキャンセル回路５は、第１の乗算器５１において、再生ＲＦ信号ｒｆ（ｔ）と、低域フィルタ（ＬＰＦ）５２からの出力信号であるＡＰＣモニタ出力信号ｍ（ｔ）のＤＣ成分とを乗算する一方、第２の乗算器５４において、再生ＲＦ信号ｒｆ（ｔ）と高域フィルタ（ＨＰＦ）５３からの出力信号であるレーザノイズ成分とを乗算した後、演算器５５において、乗算器５１の乗算結果から乗算器５４の乗算結果を減算する。
【００１０】
上記の乗算器５１の乗算結果は、前記加法的ノイズ成分と変調ノイズ成分の両方を含み、信号レベルが高くされた再生ＲＦ信号を示す。また、上記の乗算器５４の乗算結果は、前記加法的ノイズ成分と変調ノイズ成分とを加算した再生ＲＦ信号に含まれるすべてのレーザノイズ成分からなる信号を示す。従って、演算器５５において、乗算器５１の乗算結果から乗算器５４の乗算結果を減算することにより、演算器５５からは、レーザノイズの加法的ノイズ成分と変調ノイズ成分の両方が除去された再生ＲＦ信号が得られる。
【００１１】
この再生ＲＦ信号は、ＡＧＣ回路８で振幅変動が除去され、イコライザ（ＥＱ）９により所定のパーシャルレスポンス特性（例えば、ＰＲ（１，２，１））に等化された後、Ａ／Ｄ変換器１０によりディジタル信号に変換される。このディジタル信号は、ＰＬＬ回路１１に供給されてＡ／Ｄ変換器１０へのクロック信号を発生させる一方、ビタビ検出器１２に供給されてビタビ復号されて再生データが得られる。ビタビ検出器１２から出力された再生データは、ＥＣＣデコーダ１３により誤り訂正された後、インタフェース（Ｉ／Ｆ）回路１４を介して出力端子１５から外部へ出力される。
【００１２】
【特許文献１】特開２００２−１８３９７０号公報
【発明の開示】
【発明が解決しようとする課題】
【００１３】
しかるに、上記の従来の光ディスク装置には、以下の課題がある。
【００１４】
（１）再生ＲＦ信号・パワーモニタ出力ともＤＣを必要としており、回路系のダイナミックレンジとして不利である（アナログ乗算器５１、５４は、線形領域を用いるため、Ｓ／Ｎ確保は厳しい。）。
【００１５】
（２）ＬＰＦ５２及びＨＰＦ５３共に、ノイズ成分とＤＣ成分を分離するためにかなり大きい時定数を用いる（例えば、上記の特許文献１では、ＬＰＦ５２のカットオフ周波数は、ナイキスト周波数の１／１０００以下としている。）が、時定数の大きいフィルタは、基本的に、素子の遅延ばらつき（特に、ＬＰＦ等の形成における群遅延バラツキ）が大きい。
【００１６】
（３）レーザノイズキャンセル回路５はフィードフォワード操作であるため、量産においてその誤差を吸収することは難しい。また、温度変化・経時変化に追従することができない。
【００１７】
（４）乗算器５４の乗算により、ＬＤ１の出力レーザ光の強度Ｐとレーザノイズ成分Ｎ（ｔ）と光ディスク２０上のマーク及びスペースからの各反射率の平均値と比例定数との積である加法的ノイズ成分と、前記変換係数Ａとレーザノイズ成分Ｎ（ｔ）の２乗と上記各反射率の平均値と比例定数との積である加法的ノイズ成分の２乗成分と、前記変換係数Ａと光強度Ｐとレーザノイズ成分Ｎ（ｔ）と反射光の信号変調成分と比例定数との積である変調ノイズ成分と、前記変換係数Ａとレーザノイズ成分Ｎ（ｔ）の２乗と反射光の信号変調成分と比例定数との積である変調ノイズ成分の２乗成分とからなる、全部で４つのノイズ成分の総和が乗算結果として得られるが、上記の従来のレーザノイズキャンセル回路では、レーザノイズ成分Ｎ（ｔ）が光強度Ｐに比べて小さな値であるので、レーザノイズ成分Ｎ（ｔ）の２乗は非常に小さな値になるものとして、上記の加法的ノイズ成分の２乗成分と変調ノイズ成分の２乗成分とを無視している。しかしながら、実際には上記の加法的ノイズ成分の２乗成分と変調ノイズ成分の２乗成分は存在するので、完全なノイズキャンセルはできない。
【００１８】
本発明は以上の点に鑑みなされたもので、再生ＲＦ信号及びパワーモニタ出力にＤＣを必要とせず、また、無調整化も実現し得る光ディスク装置を提供することを目的とする。
【００１９】
また、本発明の他の目的は、フィードバック操作により、変調ノイズを含めて完全なノイズキャンセルを行い得る光ディスク装置を提供することにある。
【課題を解決するための手段】
【００２０】
上記の目的を達成するため、本発明は、光ディスクにレーザ光を照射することにより光ディスクから得られる反射光を、第１の受光手段により光電変換して得た第１の信号に含まれるノイズ成分を、光ディスクに照射されるレーザ光の一部を第２の受光手段により光電変換して得た第２の信号を用いて低減するノイズキャンセル手段を備え、ノイズキャンセル手段によりノイズ成分が低減された第１の信号に基づいて光ディスクに記録されている情報信号を再生する光ディスク装置において、ノイズキャンセル手段は、第２の信号をフィルタリングし、そのフィルタリング結果を出力すると共に複数のタップの各出力信号を分岐して出力するトランスバーサルフィルタと、第１の信号から擬似レーザノイズ成分を減算する減算手段と、トランスバーサルフィルタの複数のタップの各出力信号と減算手段の出力信号とを別々に乗算し、それらの乗算結果を複数のタップの各出力信号と乗算される複数の乗算係数としてトランスバーサルフィルタへ供給する第１の乗算手段と、減算手段の出力信号とトランスバーサルフィルタのフィルタリング結果であるフィルタ出力信号とを乗算して得た信号の直流成分を検出し、その直流成分に応じた値の利得信号を発生する利得信号発生手段と、利得信号発生手段からの利得信号とトランスバーサルフィルタのフィルタ出力信号とを乗算することにより、擬似レーザノイズ成分を発生して減算手段へ供給する第２の乗算手段とを有し、減算手段から擬似レーザノイズ成分が除去された第１の信号を出力することを特徴とする。
【００２１】
この発明では、減算手段の出力信号の正負の極性のノイズ量のバランスずれに応じた値をゲインＫとしてフィードバックするようにしているため、減算手段の出力信号中の変調信号に応じたノイズ残留量が、正負の極性のバランスのとれたところに収束する。従って、システム全体として動作した場合、減算手段の出力信号には残留ノイズ成分が残らないようにできる。また、第１及び第２の信号はノイズキャンセルの際には直流成分は不要であり、フィードバック操作により第１の信号中のレーザノイズ成分をキャンセルできる。
【００２２】
また、上記の目的を達成するため、本発明は、利得信号発生手段は、減算手段の出力信号とトランスバーサルフィルタのフィルタリング結果であるフィルタ出力信号とを乗算する乗算器と、減算手段の出力信号に対し、その中心レベルを基準に正負の極性を判定した判定信号を出力する判定信号出力回路と、乗算器の出力信号の極性を反転する反転回路と、判定信号出力回路から出力された判定信号に応じて、乗算器から出力される信号と反転回路から出力される反転信号とのうち、どちらか一方を選択するスイッチ回路と、スイッチ回路の出力信号の直流成分を抽出するフィルタ回路と、フィルタ回路に所定の基準係数を加算して利得信号として出力する加算回路とを有することを特徴とする。
【発明の効果】
【００２３】
本発明によれば、減算手段から出力されるノイズキャンセル回路の出力信号が、その正の期間と負の期間とに含まれるノイズ量が等しくなるように制御しているため、変調ノイズを含めた完全なノイズキャンセルを行うことができる。
【００２４】
また、本発明によれば、第１の信号（光ディスクの再生ＲＦ信号）及び第２信号（パワーモニタ出力信号）に直流成分を必要としないので、それらの直流成分を必要とする従来装置に比べて回路系のダイナミックレンジを大きくとれる。
【００２５】
また、本発明によれば、信号処理自体（係数演算は除く）にフィルタリングブロックが存在せず、遅延時間も適応的に合わせるので、無調整化が実現する。
【００２６】
更に、本発明によれば、フィードバックによりノイズキャンセルを行う構成であるため、量産においてその誤差を吸収でき、また、温度変化・経時変化に追従することができ、無調整化も実現できる。
【発明を実施するための最良の形態】
【００２７】
次に、本発明の実施の形態について図面と共に説明する。図１は本発明になる光ディスク装置の一実施の形態のブロック図を示す。同図中、図４と同一構成部分には同一符号を付し、その説明を省略する。図１に示す本実施の形態は、レーザノイズキャンセル回路２１の構成に特徴がある。レーザノイズキャンセル回路２１は、アンプ４からの再生ＲＦ信号ｒｆ（ｔ）と、アンプ７からのＡＰＣモニタ出力信号ｍ（ｔ）とを入力信号として受け、図２及び図３の構成により、再生ＲＦ信号ｒｆ（ｔ）中のレーザノイズを除去するものである。
【００２８】
図２は図１中のレーザノイズキャンセル回路２１の一実施の形態の回路系統図を示す。図２において、再生ＲＦ信号ｒｆ（ｔ）は、コンデンサによる高域フィルタ（ＨＰＦ）３１によりＤＣ成分が除去された後、減算器３２に供給され、ここで後述する乗算器３７からの疑似レーザノイズ成分ｎ（ｔ）が減算された後、後段の図１に示したＡＧＣ回路８に供給される。
【００２９】
一方、前記ＡＰＣモニタ出力信号ｍ（ｔ）は、コンデンサによるＨＰＦ３３によりＤＣ成分が除去された後、遅延線３４によりＨＰＦ３１の出力再生ＲＦ信号との間の概略時間合わせのために遅延された後、トランスバーサルフィルタ３５に供給される。トランスバーサルフィルタ３５は、遅延線３４から出力された遅延ＡＰＣモニタ出力信号ｄ１を入力信号として受け、入力信号ｄ１を２段縦続接続されたアナログ遅延線３５１及び３５２によりそれぞれ所定の単位時間遅延して得られたｄ２、ｄ３に対して、乗算係数ｋｔ１、ｋｔ２、ｋｔ３を各タップに設定し、その乗算係数ｋｔ１、ｋｔ２、ｋｔ３を信号ｄ１、ｄ２、ｄ３と乗算器３５３、３５４、３５５において乗算することによって、重み付けされた各信号を生成し、それらを加算器３５６で加算して出力する構成である。
【００３０】
ここで、上記の乗算係数ｋｔ１、ｋｔ２、ｋｔ３は、前記の減算器３２の出力信号と、各タップの信号ｄ１、ｄ２、ｄ３とをそれぞれ乗算器３８、３９、４０にて乗算することにより得られた３つの乗算結果を、それぞれ低域フィルタ（ＬＰＦ）４１、４２、４３に通す（フィルタリングする）ことにより得られた係数である。
【００３１】
これは、減算器３２の出力信号に含まれる信号成分と、各タップの信号ｄ１、ｄ２、ｄ３との相互相関を演算し、残留しているレーザノイズ成分のレプリカを生成していることに等しい。但し、ＬＰＦ４１、４２、４３の時定数により、変調信号には追従しておらず、平均値となる（なお、ＬＰＦ４１、４２、４３の各カットオフ周波数は、例えば、数十Ｈｚ〜数百Ｈｚである。）。つまり、この時点でのトランスバーサルフィルタ３５の効果は、主に、時間遅延合わせの微調整を適応的にしていることとなる。
【００３２】
トランスバーサルフィルタ３５の出力信号は２つの入力端子を持つ乗算器３７の一方の入力端子に入力される。乗算器３７のもう一方の入力端子には、減算器３２の出力信号を、利得器３６により所定のゲインＫによって重み付けされた信号が入力される。乗算器３７の出力信号は、ＨＰＦ３１、３３によるＤＣ成分除去によりＤＣ成分を含まない疑似レーザノイズ成分ｎ（ｔ）として、減算器３２に入力される。この擬似レーザノイズ成分ｎ（ｔ）は、前述した特許文献１に記載の加法的ノイズ成分と変調ノイズ成分の両方を含んでいるが、加法的ノイズ成分のみでも動作する。
【００３３】
このとき、上記ゲインＫが適切な値であれば、変調信号成分の大きさに応じてレーザノイズが変調されるので、変調成分に応じたレーザノイズも正しくキャンセル可能となる。
【００３４】
次に、このゲインＫの値を適応的に求めることのできる利得器３６の一実施の形態について、図３のブロック図と共に説明する。同図に示すように、利得器３６は、相関検波の役割を果たす乗算器３６１と、２つの入力信号レベルを比較する比較器３６２と、図２の減算器３２の出力信号の本来の０レベル（中心レベル）に相当する信号を発生する０発生器３６３と、乗算器３６１の出力信号の極性を反転する反転回路３６４と、乗算器３６１の出力信号と反転回路３６４の出力信号の一方を比較器３６２の出力信号により選択させるスイッチ回路３６５と、ＤＣ成分を周波数選択するＬＰＦ３６６と、ゲインＫを出力するための加算器３６７と、所定の基準係数Ｋ０を発生する基準係数発生器３６８とから構成されている。
【００３５】
次に、この利得器３６の動作について説明する。図２の減算器３２から出力された出力信号は、図２のトランスバーサルフィルタ３５から出力される擬似ノイズ成分と共に図３の乗算器３６１に供給されてそれぞれ乗算される。ここで、減算器３２の出力信号は信号成分に擬似ノイズ成分が含まれているので、
A・cos(ωt)＋N・cos(pt)
と表すことができ、トランスバーサルフィルタ３５から出力される擬似ノイズ成分を
N'・cos(pt)
とすると、乗算器３６１の出力信号は、次式で表される。
【００３６】
N'・cos(pt)×｛A・cos(ωt)＋N・cos(pt)｝
2006079772.tif 000003
＝A N' cos(pt)×cos(ωt)＋{cos(0)＋cos(2pt)}×N' N/2
ここで、上式中のcos(0)＝１の項がＤＣ成分であり、これは減算器３２の出力信号に含まれる残留ノイズ成分そのものを表す。このＤＣ成分は、後述するＬＰＦ３６６で検出される。
【００３７】
次に、ゲインＫとして検出したいのは、変調によって、正の期間と負の期間のノイズ量がどれだけ異なるか、つまり、バランスを検出したいのであるので、減算器３２の出力信号は比較器３６２に供給され、ここで０発生器３６３からの０レベル信号とレベル比較され、減算器３２の出力信号の正の期間と負の期間に対応した論理値の２値信号を出力する。この比較器３６２の出力信号は、スイッチ回路３６５にスイッチ制御信号として供給され、上記の正の期間に対応した第１の論理値のときには、スイッチ回路３６５により例えば乗算器３６１の出力信号を選択させ、上記の負の期間に対応した第２の論理値のときには、スイッチ回路３６５により例えば反転回路３６４により極性が反転された乗算器３６１の出力信号と反対論理値の信号を選択させる。
【００３８】
スイッチ回路３６５により選択された信号はＬＰＦ３６６に供給され、ここで乗算器３６１の出力信号のＤＣ成分が検出される。ここで、ＬＰＦ３６６により検出されるＤＣ成分が０であれば（ＤＣ成分が検出されなければ）、正の期間と負の期間のノイズ量が等しく、変調がバランス良く行われている。しかし、前記の正の期間と負の期間のノイズ量が異なる場合は、ＬＰＦ３６６によりそのバランスずれに応じたＤＣ成分が検出される。
【００３９】
そこで、ＬＰＦ３６６から出力される上記のバランスずれを示すＤＣ成分を、正負極性に応じた傾きをつけるために（後述する乗算器３７での乗算がＡＭ変調となるが、その変調度を１以上としないと、極性が折り返ってしまうため）、加算器３６７において基準係数発生器３６からの基準係数Ｋ０と加算して、その加算結果をゲインＫとして出力する。このゲインＫは図２に示す乗算器３７に供給され、ここでトランスバーサルフィルタ３５から出力される擬似ノイズ成分N'・cos(pt)と乗算される。
【００４０】
乗算器３７からは、変調ノイズ成分がキャンセルされた擬似レーザノイズ成分、すなわち、残留しているレーザのノイズ成分が抽出される。この乗算器３７の出力擬似レーザノイズ成分は、減算器３２に供給されてＤＣ成分が除去された再生ＲＦ信号と減算される。
【００４１】
本実施の形態では、減算器３２の出力信号の正負の極性のノイズ量のバランスずれに応じた値をゲインＫとしてフィードバックするようにしているため、減算器３２の出力信号中の変調信号に応じたノイズ残留量が、正負の極性のバランスのとれたところに収束する。従って、システム全体として動作した場合、減算器３２の出力信号には残留ノイズ成分が残らないこととなり、完全なノイズキャンセラが確立する。
【００４２】
なお、本発明は上記の実施の形態に限定されるものではなく、例えばトランスバーサルフィルタ３５のタップ数はいくらでもよい。
【図面の簡単な説明】
【００４３】
【図１】本発明の光ディスク装置の一実施の形態のブロック図である。
【図２】本発明装置の要部のレーザノイズキャンセル回路の一実施の形態の回路系統図である。
【図３】図２の利得器の一実施の形態のブロック図である。
【図４】従来の光ディスク装置の一例のブロック図である。
【符号の説明】
【００４４】
２０  光ディスク
２１  レーザノイズキャンセル回路
３１、３３  高域フィルタ（ＨＰＦ）
３２  減算器
３４、３５１、３５２  遅延線
３５  トランスバーサルフィルタ
３６  利得器
３７、３８、３９、４０、３５３、３５４、３５５、３６１  乗算器
３５６、３６７  加算器
３６２  比較器
３６３  ０発生器
３６４  反転回路
３６５  スイッチ回路
３６６  低域フィルタ（ＬＰＦ）
３６８  基準係数発生器
【図１】
2006079772.tif 000004
【図２】
2006079772.tif 000005
【図３】
2006079772.tif 000006
【図４】
2006079772.tif 000007